(57)【特許請求の範囲】
【請求項１】
設置家具のための床側の引き出しであって、
該引き出し（１）が、自体公知の形式で正面側に配置された遮蔽板（４，５）を備えている形式のものにおいて、
引き出し（１）が、上位および下位の２つの正面遮蔽板（４，５）を備えており、下位の正面遮蔽板（４）が、高さ方向可動に支承されており、引き出し（１）が開放されると、下位の正面遮蔽板（４）が、必然的に僅かに持ち上がるように案内されていることを特徴とする、設置家具のための床側の引き出し。
【請求項２】
引き出し（１）が、上部（１２）と、該上部（１２）に装着された、ほぼ床領域まで延びる下部（１３）とから形成されていることを特徴とする、請求項１記載の引き出し。
【請求項３】
引き出し（１）が、蹴込部分引き出しとして形成されており、床側の下位の正面領域が、設置家具（２）の蹴込領域に応じて、棚構成部材背面に向かって変位して延びていることを特徴とする、請求項１記載の引き出し。
【請求項４】
下位の正面遮蔽板（４）が、案内手段（１０）を介して高さ方向可動に引き出し（１）の前壁領域に接続されている、請求項１記載の引き出し。
【請求項５】
下位の正面遮蔽板（４）に、引き出し（１）の側壁に対して平行に棚構成部材背面に向かって延びる少なくとも１つの案内部材（７）が取り付けられており、該案内部材（７）の上縁（８）が、棚構成部材背面に向かって斜め下向きに延びており、該案内部材（７）に、設置家具（２）の棚本体に取り付けられた制御エレメント（９）が対応配設されており、該制御エレメント（９）が、引き出し（１）の押し込まれた状態またはほぼ押し込まれた状態で、案内部材（７）の上縁（８）に載設するようになっていて、かつ下位の正面遮蔽板（４）を、ばね（１１）の作用に抗して床に向かって押圧するようになっている、請求項４記載の引き出し。
【請求項６】
引き出し（１）の両方の側壁領域において、下位の正面遮蔽板（４）に案内部材（７）およびばね（１１）が設けられており、これらの案内部材（７）およびばね（１１）に応じて設置家具（２）の両方の側壁に、案内部材と接触する制御エレメント（９）が設けられている、請求項５記載の引き出し。
【請求項７】
単数または複数のばね（１１）が、案内手段（１０）の内側に封入して配置されている、請求項５または６記載の引き出し。
【請求項８】
下位の正面遮蔽板（４）が、案内手段（１０）を介して高さ方向で可動に引き出し（１）に接続されており、下位の正面遮蔽板（４）の背面側に、床側に支承された走行ローラ（２３）を備えたローラ保持体（２２）が取り付けられている、請求項１記載の引き出し。
【請求項９】
ローラ保持体（２２）が、押圧ばね（２４）によって持続的に床（６）に向かって負荷されている、請求項８記載の引き出し。
【請求項１０】
上部（１２）に、設置家具（２）の内側において引き出しを長手方向移動させるためのガイドレール（１５）が取り付けられており、下部（１３）が、該下部（１３）の側壁（１７）に取り付けられたアダプタ（１６）を介して、ガイドレール（１５）の、上部側に固定された領域と結合されている、請求項２記載の引き出し。
【請求項１１】
アダプタ（１６）が、ガイドレール（１５）の、部分的に固定された領域を少なくとも部分的にカバーしている、請求項１０記載の引き出し。
【請求項１２】
アダプタ（１６）が、プラスチック成形部分として形成されている、請求項１０または１１記載の引き出し。
【請求項１３】
アダプタ（１６）が、それぞれ正面側の端部領域と背面側の端部領域において、該アダプタ（１６）と一体成形されたカバーキャップ（１８）を備えており、これらのカバーキャップ（１８）が、下部（１３）の前壁（１９）ならびに背壁（２０）の端面側の上位領域をカバーしている、請求項１２記載の引き出し。
【請求項１４】
アダプタ（１６）が、引き出し（１）とは反対側に位置する外側領域で、平滑な面状のカバー遮蔽板（２１）によってカバーされている、請求項１２または１３記載の引き出し。
【請求項１５】
アダプタ（１６）が、押し出し成形部分から形成されている、請求項１０または１１記載の引き出し。
【請求項１６】
引き出し（１）が、蹴込部分引き出しとして形成されており、床側の下位の正面領域が、設置家具（２）の蹴込領域に応じて棚構成部材背面に向かって変位して延びており、凹んだ該正面領域に下位の正面遮蔽板（４）が設けられており、突出している正面領域に上位の正面遮蔽板（５）が設けられており、下位の凹んだ正面領域に配置された正面遮蔽板（４）が、高さ方向可動に支承されている、請求項１から１５までのいずれか１項記載の引き出し。
【発明の詳細な説明】
【０００１】
【発明の属する技術分野】
本発明は、設置家具のための床側の引き出しに関する。
【０００２】
【従来の技術】
本発明に関して述べると、設置家具という概念は、部屋の床に直接設置される棚付家具を意味する。
【０００３】
たとえば台所用家具では、床面に設置される棚、およびつり戸棚として壁に取り付けられるような棚が存在する。
【０００４】
特に台所用家具においては、そのような設置家具は多くの場合引き出しを備えており、この設置家具の下位の引き出しは床側の引き出しと呼ばれる。
【０００５】
特に床側領域において、設置家具およびこのような設置家具の床側の引き出しでは、上方に配置された引き出しにとって意味をなさないような特異性を考慮する必要がある。このような設置家具は多くの場合蹴込領域を備えており、この蹴込領域は、設置家具の前面に対して凹んでいて、かつ多くの場合設置家具の高さ調節のための支持脚部または設置脚部に配置されているので、多くの場合引き出しによって蹴込部分の上方の領域しか利用することができず、または実際の蹴込領域において引き出しのために追加的な別の寸法を考慮する必要がある。
【０００６】
【発明が解決しようとする課題】
したがって本発明の課題は、冒頭で述べたような形式の、設置家具のための床側の引き出しを改良して、設置家具の床側領域における引き出しに課せられる特別な要求に、極めて実地に即した形式で適合するようなものを提供することである。
【０００７】
【課題を解決するための手段】
この課題を解決するための本発明の構成によれば、引き出しが、自体公知の形式で正面側に配置された遮蔽板を備えており、遮蔽板が、高さ方向可動に支承されている。
【０００８】
このような形式の特別な引き出しでは、正面側の遮蔽板が引き出しの押し込まれた状態でできるだけ床と密になるように終わっている。床の凹凸が存在するかまたはこれに類する状態では、遮蔽板は、場合によっては床に擦過し得るか、または極端な場合引き出しの完全な開放を妨げ得る。
【０００９】
このようなことは本発明の引き出しによって回避される。なぜならば高さ方向可動な遮蔽板は、引き出しの開放時に、少なくとも遮蔽板の床との接触が凹凸のある床でも確実に回避されるまで持ち上げることができるからである。
【００１０】
この課題を解決するための本発明の別の構成によれば、引き出しが、上部と、上部に装着された、ほぼ床領域まで延びる下部とから形成されている。
【００１１】
このような構成手段の利点によれば、たとえば設置家具の蹴込領域の上方で終わる既存の引き出しに下部が装着されており、この場合もちろん既存の上位の引き出し部分の底部は取り除かれる。下部は、寸法的に設置家具の蹴込領域に適合することができ、かつ基準面でより大きな既存の引き出しフレームに装着することができる。したがって簡単な形式で設置家具の床側領域のために拡大された引き出しを形成することができ、この引き出しの蹴込領域も積み込みスペースとして利用される。
【００１２】
この課題を解決するための本発明の別の構成によれば、引き出しが、蹴込部分引き出しとして形成されており、床側の下位の正面領域が、設置家具の蹴込領域に応じて、棚構成部材背面に向かって変位して延びている。
【００１３】
床側の引き出しは、形状的には、別の設置家具の凹んだ蹴込部分配置構成に適合されているので、全体において引き出しを備えているかいないかにかかわらず、相並んで設置された複数の設置家具の連続的な正面外観が得られる。
【００１４】
本発明の別の実施形態は、従属請求項に記載されている。
【００１５】
【発明の実施の形態】
次に本発明の実施の形態を図示の実施例を用いて詳しく説明する。
【００１６】
図１〜図７には、本発明に基づく引き出し１の１実施例が示されており、この引き出し１は設置家具２（図３、図６および図７に示されている）の床側領域において長手方向でスライド可能に案内されている。
【００１７】
引き出し１は、いわゆる蹴込部分引き出し（Sockelschubkasten）として形成されており、つまり引き出し１の下位の正面領域が、設置家具の蹴込輪郭３に応じて設置家具の背面に向かって凹んで形成されている。
【００１８】
それに応じて前述の引き出し１は、２つの正面遮蔽板４，５を備えており、この場合符号４で示された下位の正面遮蔽板は、引き出し１の凹んだ領域に配置されており、符号５で示された正面遮蔽板は、設置家具における上位の、正面を形成する領域に位置している。
【００１９】
下位の正面遮蔽板４は、引き出し１の完全に押し込まれた状態で、できるだけ密に床６に位置するのが望ましく、それも場合によっては床６に載設するのが望ましく、これによって設置家具の最下位の蹴込領域を密に閉鎖することができる。
【００２０】
床６が常に厳密に水平に延びているとは保証できないので、引き出し１を開放する際に、床６の直ぐ上方に設けられる正面遮蔽板４が、床の凹凸に基づいて固定され得るか、または床６に沿って引きずられ得る、というリスクが存在する。
【００２１】
このようなリスクを回避するために、下位の正面遮蔽板４は、高さ方向可動に支承されていて、かつ有利は、引き出し１が開放されると、必然的に正面遮蔽板４の僅かな持ち上げが行われるように案内されている。
【００２２】
このために下位の正面遮蔽板４は、鉛直に延びる案内手段１０を介して引き出し１と連結されていて、かつ少なくとも１つのばね１１によって負荷されており、このばね１１は正面遮蔽板４を持続的に引き上げる。
【００２３】
さらに正面遮蔽板４において、引き出し１の少なくとも１つの縦方向側に案内部材７が取り付けられており、この案内部材７は、上縁８の領域において、水平面に対して斜めに次のように延びていて、すなわちこの上縁８は正面遮蔽板４から出発して引き出し１の背面に向かって下向きに延びている。引き出し１特に案内部材７のスライド領域において、引き出しの側壁に制御エレメント９が取り付けられており、この制御エレメント９は、引き出し１が完全に入り込んだ位置から引き出されるか、または再び押込位置に後退移動される際に、案内部材７の上縁８に沿ってスライドする。
【００２４】
引き出し１が完全に入り込んだ位置に移動されると、案内部材７の上縁８に載設する、棚側に固定された制御エレメント９によって、案内部材７ひいては正面遮蔽板４が、ばね１１の作用に抗して下方に押圧され、この押圧は、正面遮蔽板４が下縁で床６に実際に載設する位置まで行われる。引き出し１が設置家具２から引き出されると、上縁８が下向きに延びているので、ばね１１の作用によって正面遮蔽板４の迅速な持ち上げが実現され、その結果正面遮蔽板４の下縁と床との接触が解消される。案内部材７が完全に制御エレメント９との接触から外れて位置すると、正面遮蔽板４の最大限の変位が達成されている。
【００２５】
開放位置から引き出し１が再び設置家具２の家具本体に押し込まれると、最終的な閉鎖状態の直前に、制御エレメント９と案内部材７の上縁８との間の接触が生じる。引き出し１の押込が進行すると、再び床に向かって正面遮蔽板４の移動が行われ、それも既に述べたように、正面遮蔽板４の下縁が実際に床に載設する位置である最終的な閉鎖位置が得られるまで行われる。
【００２６】
有利には、正面遮蔽板４に作用する力を良好に分配するために、引き出し１の外側の両方に適当な案内部材７およびばね１１が設けられており、棚側に制御エレメントが設けられている。したがって正面遮蔽板４の傾斜は効果的に防止される。
【００２７】
図３には、前述のばね１１が、判りやすく示すために記号で示されており、有利には、ばね１１は、正面遮蔽板４の高さ調節可能な支承部を配置するために、案内手段１０の内側において封入されている。
【００２８】
引き出し１が蹴込部分引き出しとして形成されているこの記載の実施例では、相対的に段付けされた領域に、既に説明したように、種々異なる２つの正面遮蔽板４，５が設けられている。ここでは下位の正面遮蔽板４は、記載の形式で高さ調節可能に配置されている。
【００２９】
蹴込部分引き出しとは異なって正面で段付けされていない引き出し１では、これに応じて連続する１つの正面遮蔽板しか使用されない。この遮蔽板は、下位の正面遮蔽板４に関して記載の実施例に対応して、全体的に高さ調節可能に支承されている。
【００３０】
案内手段１０は、正面遮蔽板４を直線的に上方に移動させる。もちろん別の案内手段たとえばピン−スリット−ガイドによって正面遮蔽板４を斜め上方に移動させるか、または曲線状に形成されたピン−スリット−ガイドによって上方運動と前方運動との組み合わせ運動で移動させることもできる。前方かつ上方に向かってある種の持ち上げ傾斜運動を成す組み合わせ運動も、適当な構成のガイドで考えられる。
【００３１】
さらに正面遮蔽板４は、レバーによって枢着することもでき、このレバーは、ある円軌道上を正面遮蔽板４が前方かつ上方に移動して、正面遮蔽板４がある種の回転運動で床に対する間隔を形成する、ということを許容する。
【００３２】
図８〜図１４には、本発明の１実施例が示されており、ここでは同様にいわゆる蹴込部分引き出しの構成をした引き出し１が、上部１２と、この上部１２に装着された、床領域まで延びる下部１３とから形成されている。
【００３３】
上部１２は、底部を除いて、正面遮蔽板５を含む従来の引き出しの構成部材から成っている。
【００３４】
上部１２の側壁１４には、設置家具２の家具本体において引き出し１を移動可能に支承するためのガイドレール１５が取り付けられている。
【００３５】
引き出し１の下部１３は、下部１３の側壁１７に取り付けられたアダプタ１６を介して上部１２と結合されており、この場合アダプタ１６は、案内レール１５の、上部側に固定された構成部材を部分的に形状接続式（formschluessig；形状による束縛）に取り囲み、しかもある種のカバーを成してガイドレール１５のこれらの構成部材をオーバーラップしている。これについては特に図１２からはっきりと理解することができる。
【００３６】
アダプタ１６は、図示の実施例では、プラスチック成形部分として形成されていて、かつ上部１２に対する移行領域においてそれぞれ前方領域および後方領域で一体的に形成されたカバーキャップ１８を備えており、これらのカバーキャップ１８は、下部１３の前壁１９ならびに背壁２０のそれぞれ端面側の端部領域を閉鎖するようにカバーするのに役立つ。
【００３７】
アダプタ１６は、外側からみて、被せ嵌め可能なカバー遮蔽板２１によって平滑な面状に閉鎖されている。
【００３８】
アダプタ１６は、選択的にプラスチック成形部分としても押出成形部分としても製作することができ、この場合分割形成されたカバー遮蔽板２１は省略することもできる。
【００３９】
図面から判るように、引き出し１の上部１２の基準面（底面）は、下部１３の基準面よりも大きくなっている。この場合上部１２の基準面は、設置家具２全体の基準面にほぼ相当し、これに対して下部１３の基準面は、蹴込領域において提供される大きさに相当する。
【００４０】
引き出しを２つの部分から形成することの利点によれば、基礎サイズに相当する下部１３を製作し、この下部１３を、大量生産される構成部材から成る上部に装着する必要しかない。
【００４１】
ここでも下部は、図１〜図７の実施例に対応して、高さ調節可能な正面遮蔽板４を備えて形成されている。
【００４２】
図１５には、同様に高さ調節可能な下位の正面遮蔽板４を備えた引き出し１の１実施例が示されている。ここでも正面遮蔽板４は、案内手段１０を介して下部１３に対して高さ調節可能に支承されている。さらに正面遮蔽板４の背面に、床側で支持された走行ローラ２３を備えたローラ保持体２２が取り付けられている。押圧ばね２４を介して、正面遮蔽板４は持続的に床６に向かって負荷されている。
【００４３】
走行ローラ２３が走行する床が扁平でない場合、下位の正面遮蔽板４は、押圧ばね２４の作用に抗して床の凹凸に従って走行し、ここでは床６に対する正面遮蔽板４の下位縁部のロック、引きずり、もしくは掻き取りが生じる、というリスクはない。
【００４４】
場合によっては、図１５に基づく実施例では、押圧ばね２４の配置を省略することができる。なぜならば既に自重に基づいて下位の正面遮蔽板４は、持続的に床６に向かって負荷されているからである。
【００４５】
それにもかかわらず有利な実施例では、前述の押圧ばね２４が設けられている。
【００４６】
図１５に示された実施例に基づく引き出し１は、図８〜図１４に示された実施例に基づく引き出し１と同様に形成することができ、これと同じことが図１〜図７に示された実施例にも当てはまる。
【００４７】
これに関して記載の実施例のあらゆる組み合わせが考えられる。
【図面の簡単な説明】
【図１】  本発明の床側の引き出しを示す縦断面図である。
【図２】  図１に基づく引き出しを示す側面図である。
【図３】  図１および図２に基づく、部分的に引き出された引き出しを備えた設置家具を示す断面図である。
【図４】  図１〜図３に基づく引き出しの前方下位領域を部分的に示す斜視図である。
【図５】  図１〜図４に基づく引き出しの正面遮蔽板のための取付装置を示す斜視図である。
【図６】  引き出しを省略して、引き出しの正面遮蔽板を高さ方向移動させるための制御手段を示した、設置家具の内壁を部分的に示す側面図である。
【図７】  下位の引き出しのための所属の正面遮蔽板を示した、図６に対応する側面図である。
【図８】  本発明の別の実施例に基づく引き出しを示す斜視図である。
【図９】  正面遮蔽板を省略した、引き出しを示す斜視図である。
【図１０】  図８および図９に基づく引き出しの下部を部分的に示す斜視図である。
【図１１】  完全に組み付けられた状態の、図１０に基づく下部を示す斜視図である。
【図１２】  図８〜図１１に基づく引き出しの側面領域を示す鉛直方向断面図である。
【図１３】  引き出しの下位領域の案内領域を示す、図１２の拡大部分図である。
【図１４】  引き出しの内側からみた、図８〜図１３に基づく引き出しの側壁を部分的に示す斜視図である。
【図１５】  本発明の別の実施例に基づく引き出しを示す縦断面図である。
【符号の説明】
１  引き出し、  ２  設置家具、  ３  蹴込輪郭、  ４，５  正面遮蔽板、  ６  床、  ７  案内部材、  ８  上縁、  ９  制御エレメント、  １０  案内手段、  １１  ばね、  １２  上部、  １３  下部、  １４  側壁、  １５  ガイドレール、  １６  アダプタ、  １７  側壁、  １８  カバーキャップ、  １９  前壁、  ２０  背壁、  ２１  カバー遮蔽板、  ２２  ローラ保持体、  ２３  走行ローラ、  ２４  押圧ばね
【図１】
0004331468.tif 000002
【図２】
0004331468.tif 000003
【図３】
0004331468.tif 000004
【図４】
0004331468.tif 000005
【図５】
0004331468.tif 000006
【図６】
0004331468.tif 000007
【図７】
0004331468.tif 000008
【図８】
0004331468.tif 000009
【図９】
0004331468.tif 000010
【図１０】
0004331468.tif 000011
【図１１】
0004331468.tif 000012
【図１２】
0004331468.tif 000013
【図１３】
0004331468.tif 000014
【図１４】
0004331468.tif 000015
【図１５】
0004331468.tif 000016